(57)【要約】【課題】  連続帳票を折り畳みながらピントラクタへ供給するに際して、折り畳まれた連続帳票の蛇行等によるピントラクタでの脱ピン等の事故を防ぐ、或いは用紙押さえガイドの設置忘れ等を防ぐ折り畳み連続帳票の流れ制御機構を提供する。【解決手段】  流れ方向に折り畳みながら繰出される連続帳票を少なくとも一対のローラに挟み込み折り癖を付けた後に、ガイド板或いはガイドローラにより略水平に進路を変更し前記ガイド板或いはガイドローラの下流に設けられたピントラクタにより下流の工程へ搬送する連続折り畳み帳票の給紙手段であり、前記ピントラクタの構成部材に連結された用紙押えガイドにより前記ガイド板或いはガイドローラの上流において折り畳まれて繰出された連続帳票の両外側を押えることを特徴とした折り畳み連続帳票の流れ制御機構【選択図】図２
2014015331.tif 000002
【特許請求の範囲】
【請求項１】
折り畳みながら繰出される連続帳票を少なくとも一対のローラ或いはシャフトに挟み込み折り癖を付けて、ガイド板或いはガイドローラにより進路を変更した後に前記ガイド板或いはガイドローラの下流に設けられたピントラクタにより下流の工程へ搬送する連続折り畳み帳票の給紙手段であって、前記ピントラクタの構成部材に連結された用紙押えガイドにより前記ガイド板或いはガイドローラの上流において折り畳まれて繰出された連続帳票の両外側を押えることを特徴とした折り畳み連続帳票の流れ制御機構。
【請求項２】
用紙押さえガイドがピントラクタから独立して左右方向にスライド可能であることを特徴とした折り畳み連続帳票の流れ制御機構。
【発明の詳細な説明】
【技術分野】
【０００１】  本発明は、連続帳票を折り畳みながらピントラクタにより下流の工程へ搬送する給紙手段に関する。詳しくは前記給紙手段における給紙時の折り畳み連続帳票に発生する、折ずれや脱ピン等の事故を防止するための流れ制御機構である。
【背景技術】
【０００２】  従来、連続帳票を加工する工程では、特開平１１−１０５４７１号公報に記載されるように、例えば連続帳票を三つ折りしながら、ピントラクタで引き出して下流の工程へ搬送する給紙及び搬送手段が用いられていた。
【先行技術文献】
【０００３】
【特許文献１】特開平１１−１０５４７１号公報
【発明の概要】
【発明が解決しようとする課題】
【０００４】  前記給紙手段では、引き出された連続帳票１Ａを案内するガイド２２と、その連続帳票１Ａが二つの折り目線５のところで三つ折りされるよう案内するくせ折り部材と、連続帳票１Ａを水平に方向変換するように案内するガイド２４等を備えている。然るに、前記三つ折りされて繰り出される帳票１Ａとピントラクタ２５までの間に設けられたガイド２４を通過する前記連続帳票１Ａの通過位置が、正しい位置を通過していないと、ピントラクタ２５から連続帳票１Ａが脱ピンを起こす、或いはガイド２４及びその前後において連続帳票１Ａが破断する又はしわが入りジャミングを起こす等の支障が発生する。【０００５】  また、前記ガイド２４において、折り目線５で確実に折り畳まれていない場合、ガイド２４において折りずれが連続的に発生し、それもまたピントラクタ２５における脱ピンや連続帳票１Ａの破断及びジャミングの原因となる。
本発明は、上記問題に鑑み、折り畳まれながら繰出される連続帳票を、ガイド部分で確実に折り畳むと共に、常に通過する連続帳票の位置を適正位置に保つことができ、そのためガイドやピントラクタにおける脱ピン、破断及びジャミング等の支障が起こらない流れ制御機構を提供することを目的としている。
【課題を解決するための手段】
【０００６】  上記目的を達成するために、本発明の折り畳み連続帳票の流れ制御機構は、折り畳みながら繰出される連続帳票を少なくとも一対のローラ或いはシャフトに挟み込み折り癖を付けて、ガイド板或いはガイドローラにより進路を変更した後に前記ガイド板或いはガイドローラの下流に設けられたピントラクタにより下流の工程へ搬送する連続折り畳み帳票の給紙手段であって、前記ピントラクタの構成部材に連結された用紙押えガイドにより前記ガイド板或いはガイドローラの上流において折り畳まれて繰出された連続帳票の両外側を押えることを特徴としたことを特徴としている。【０００７】  なお、前記用紙押さえガイドは、ピントラクタの構成部材と直結されたピントラクタの左右方向の移動と連動する単一構成部材でも構わず、ピントラクタの左右方向の移動と連動しながら尚且つ独立して異なる構成部材が左右に自在にスライドできるよう取り付けられていても構わない。そのように構成することで、幅の異なる様々な連続帳票の折り畳み態様に対応することが可能になる。【０００８】  また、前記用紙押さえガイドは、通過する連続帳票との接触部分に、摩擦を軽減するためのローラ等が単体或いは複数配置されていても構わず、前記ローラ以外にフッ素処理による摩擦軽減手段が講じられていても構わない。【０００９】  既述の通りくせ折り部材により畳まれながら繰出される連続帳票は、略水平方向へ進路を変更するガイドの手前で、例えば狭い間隔で平行に配置された一対のローラ等を通過することにより事前に折りくせを付ける。前記用紙押さえガイドは前記一対のローラの上流及び／又は下流に配置されることが好ましい。【００１０】  一対のローラにより折りくせがより確実に付いた連続帳票は、折り畳みが良好で膨らみが取れて折り畳み形態が安定している。そのため両側縁辺が用紙押えガイドにより抑えられ固定されることにより、ガイドを通過後下流のピントラクタまで安定した位置で搬送されることになる。【００１１】  前記ガイドは特許文献１のように、アール状に折り曲げられた板でもよいが、例えばパイプ或いはシャフト等のローラ状の素材を、通過する用紙と共に回転しながら水平方向へ進路を変更するようにすることが好ましい。
【発明の効果】
【００１２】  本発明の折り畳み連続帳票の流れ制御機構によれば、くせ折り部材により折り畳まれて繰出される連続帳票が、例えば一対のローラ等により折りくせを確実に付けられ、さらに用紙押えガイドにより通過位置が確実に制御されているため、下流のピントラクタに悪影響を及ぼすことがなく、従って脱ピン等による既述の各種支障を起こすことがない。【００１３】  また、様々な帳票サイズや帳票の折り畳み態様の都度に変化するピントラクタの設定位置変更の際に、ピントラクタを左右に移動させると同時に用紙押さえガイドが連動して移動するので、誤って用紙押さえガイド自体の位置合わせを忘れることがない。
【図面の簡単な説明】
【００１４】
【図１】連続帳票Ｔの平面図である。
【図２】本発明の折り畳み連続帳票の流れ制御機構を分かりやすく説明する要部概略図である。
【図３】折り畳まれた連続帳票Ｔを分かりやすく説明する断面図である。
【図４】本発明の折り畳み連続帳票の流れ制御機構を分かりやすく説明する斜視略図である。
【図５】ピントラクタ１５を上流側からみた正面図である。
【図６】実施例１と異なる態様の本発明の折り畳み連続帳票の流れ制御機構の正面図である。
【図７】実施例１と異なる態様の用紙押えガイドＧを説明する正面図である。
【図８】用紙押さえガイドＧの変形例を示す正面図である。
【発明を実施するための形態】
【００１５】  以下、本発明の実施の形態を図面に基づいて具体的に説明する。
本実施例で使用される連続帳票Ｔは、例えば図１に示すように、第一葉片１、第二葉片２及び第三葉片３が折りミシン４及び５を介して横方向に連接された単位帳票ｔが、天地方向の切取ミシン６を介して縦方向に連接されている。そして第一葉片１及び第二葉片２の外側にはマージナル孔７が設けられたマージナル部分が切取予想線８を介して連接されている。
【００１６】  既述のように構成された連続帳票Ｔは、例えば切取ミシン６から蛇腹に折り畳まれて、図２に示すように、ブロック状態で工程の最上流に配置される。そして上方に配置されているガイドローラ１１、１２と図示されないくせ折り部材を通過して、図３に示すように折り線４、５から断面Ｚ字上に折り畳まれながら上方のガイドローラ１４へ引き上げられる。なお、連続帳票Ｔの繰出し手段は、前記のように蛇腹に折り畳まれたブロック状態から供給する他に、ロール状に巻き取られた状態から繰出されても構わない。その場合天地方向の切取ミシン６は省略することができる。
【００１７】  前記折り畳まれて引き上げられた連続帳票Ｔは、図２及び図４に示すように、一対のローラ１３ａ、１３ｂの間を通過することにより折りくせが確実に付けられる。そして上方のガイドローラ１４で略水平に向きを変え、下流に設置されているピントラクタ１５のピンとマージナル孔７を合致させてさらに下流の工程へ搬送されるのである。
【００１８】  なお、前記一対のローラ１３ａ、１３ｂとガイドローラ１４の間には、ピントラクタ１５から延長された用紙押さえガイドＧが、折り畳まれて通過する連続帳票Ｔの両端部を押さえて流れの位置を制御しているため、搬送される連続帳票Ｔが左右方向にぶれること等によるピントラクタ１５での脱ピン現象がなくなる。
【００１９】  前記実施例に図２および図４では、ピントラクタ１５から延長された腕の先に立方体を形成したガイドＧを例に説明しているが、前記立方体をあえて形成せずに四角柱の腕をそのまま延長した形態でも構わず、さらに前記四角柱の腕は円柱等であっても構わない。
【００２０】  また、図５に示すように、ピントラクタは折り畳まれた連続帳票Ｔの両側のマージナル孔７に対応するため１対で（必ずしも一対である必要はないが）構成されている。そして折り畳まれた連続帳票のマージナル孔７から外側までの長さは決まっている（一般的にマージナル孔の中心から０．２５インチ）ため、予めその位置に用紙押さえガイドＧの連続帳票Ｔとの接触面を配置しておけば、ピントラクタのピンとマージナル孔７を合致させることにより必然的に通過する連続帳票Ｔの折り畳まれた両外側を押えて固定することになる。
【００２１】  既述の通り前記マージナル孔７の中心から外側までの長さは通常０．２５インチであるが、特殊な設計の場合若干の違いが生じる可能性がある。また例えば一方のマージナル部分が予め切除された連続帳票を使用する場合（この場合片方のピントラクタを使用して搬送する）等もある。そのような場合には、用紙押さえガイドＧの位置を若干調整する必要が生じるが、例えば図６に示すように、用紙押さえガイドＧがピントラクタ１５に連接されているシャフト２０の穴に差し込まれ、従ってシャフト２０にガイドされて左右に移動可能な状態で固定できる構成にしておけば前記状況にも十分対応することができる。
【００２２】  なお、本発明は、上記実施例に限られるものではない。
例えば、折り畳まれた連続帳票に確実に折りくせをつける一対のローラは、複数配置されていても構わず、また回転しても或いは回転しなくても（一対のシャフトで構成する等）構わない。
また図７に示すように、折り畳まれた連続帳票の両外側からそれぞれ一対のシャフト２１やローラ等が配置された構成でも構わない。
さらに、用紙押さえガイドＧの連続帳票Ｔとの接触面の摩擦を軽減するために、フッ素加工等の表面処理を施すことは効果的であるが、その他に例えば図８に示すように、回転ローラ等による摩擦軽減措置を講じても構わない。
さらにまた、用紙ガイドローラ１４は、特許文献１に記載されるような折り曲げた板状のもので代用しても構わない。
【符号の説明】
【００２３】  Ｔ  連続帳票
ｔ  単位帳票
Ｇ  用紙押さえガイド
１、２、３  葉片
４、５  折りミシン
６  切取ミシン
７  マージナル孔
８  切取予想線
１１、１２、１４  ガイドローラ
１３ａ、１３ｂ  一対のローラ
１５  ピントラクタ
２０  シャフト
２１  一対のシャフト
【図１】
2014015331.tif 000003
【図２】
2014015331.tif 000004
【図３】
2014015331.tif 000005
【図４】
2014015331.tif 000006
【図５】
2014015331.tif 000007
【図６】
2014015331.tif 000008
【図７】
2014015331.tif 000009
【図８】
2014015331.tif 000010